(57)【特許請求の範囲】
【請求項１】
信号伝送回路とインタフェースする複数本の外部端子およびこの外部端子と対応する複数本の内部端子を有する端子取り付け部品と、
外部端子と内部端子の間に終端回路要素を接続する終端回路要素取り付け部品と、
所望の内部端子間を接続するパターンを有するパターン部品とを備え、
それぞれの部品を着脱可能としたことを特徴とする終端モジュール。
【請求項２】
請求項１記載の終端モジュールにおいて、
前記終端回路要素取り付け部品は、外部端子と内部端子の間で複数の終端回路要素を直列に実装していることを特徴とする終端モジュール。
【請求項３】
請求項１または２記載の終端モジュールにおいて、
前記パターン部品は、内部端子の接続関係を異ならせた複数種のものを用意し、複数個のパターン部品を組み合わせ取り付けられるようにしたことを特徴とする終端モジュール。
【請求項４】
請求項１または２または３記載の終端モジュールにおいて、
端子取り付け部品と終端回路要素取り付け部品のどちらか一方にオス型のコネクタを備え、他方にメス型のコネクタを備えて、コネクタ同士を嵌めることで端子取り付け部品に終端回路要素取り付け部品を取り付けることを特徴とする終端モジュール。
【請求項５】
請求項１または２または３または４記載の終端モジュールにおいて、
前記内部端子は、スリットを入れてバネ性を持たせたピンとし、
パターン部品には前記内部端子が挿入されるホールを設けるとともに、所望のホール間を電気的に接続するパターンを設けることを特徴とする終端モジュール。
【請求項６】
請求項１または２または３または４または５記載の終端モジュールにおいて、
前記端子取り付け部品と終端回路要素取り付け部品とパターン部品とを正ｎ角形（ｎは自然数）とし、終端回路要素取り付け部品を回転して取り付けて、外部端子および内部端子と、終端回路要素の接続関係を可変としたことを特徴とする終端モジュール。
【発明の詳細な説明】
【０００１】
【産業上の利用分野】
本発明は、信号伝送回路の終端用モジュール部品に関するものである。
【０００２】
【従来の技術】
従来、信号伝送回路の終端に設けられるモジュール部品には、集合抵抗部品やテブナン終端部品があった。
【０００３】
【発明が解決しようとする課題】
しかしながら、信号伝送回路の終端には様々な方式があるので、従来の集合抵抗部品やテブナン終端部品では構成できない終端回路が多く存在する。
また、信号伝送回路の負荷条件やデバイスの特性により、終端回路の電気定数を変えたい場合がでてくるが、従来の集合抵抗部品やテブナン終端部品では、電気定数を変えることができなかった。
【０００４】
【課題を解決するための手段】
上述した課題を解決するため、本発明は、信号伝送回路とインタフェースする複数本の外部端子およびこの外部端子と対応する複数本の内部端子を有する端子取り付け部品と、前記端子取り付け部品に対して着脱可能で、外部端子と内部端子の間に複数の終端回路要素を直列に接続する終端回路要素取り付け部品と、前記内部端子に対して着脱可能で、所望の内部端子間を接続するパターンを有するパターン部品とを備えた終端モジュールである。
【０００５】
【作用】
上述した構成を有する本発明は、終端回路素子が実装される終端回路要素取り付け部品を端子取り付け部品に対して着脱可能とするとともに、内部端子間を接続するパターン部品を着脱可能とすることで、プリント配線板のパターンを損傷せずに、外部端子に接続される終端回路要素を交換でき、終端回路用電気定数を容易に変えることができる。
【０００６】
【実施例】
図１は本発明の第１の実施例における終端モジュールの外観斜視図である。
図において、１ａ，１ｂ，１ｃ，１ｄは信号伝送回路と接続される外部端子、２ａ，２ｂ，２ｃ，２ｄは前記外部端子と対応して設けられる内部端子である。前記外部端子１ａと内部端子２ａの間、外部端子１ｂと内部端子２ｂの間、外部端子１ｃと内部端子２ｃの間、および外部端子１ｄと内部端子２ｄの間には、終端回路を構成する抵抗、コンデンサ、インダクタ、ダイオード等のチップ部品３が２個直列に搭載できるようになっている。
【０００７】
さらに、所望の内部端子間を電気的に接続するために、内部接続回路パターン４が設けられ、図１では、隣合う端子間を電気的に接続している。
上記構成の終端モジュール５を上から見ると、正方形であり、外部端子１ａ，１ｂ，１ｃ，１ｄは４個の角の部分に配置されていて、正方形の中心を基準に９０度回転すると、隣の端子と重なる位置関係になっている。
【０００８】
また、内部端子２ａ，２ｂ，２ｃ，２ｄは、外部端子１ａ，１ｂ，１ｃ，１ｄの内側で正方形の対角線上にあり、正方形の中心を基準に９０度回転すると、隣の端子と重なる位置関係になっている。
ここで、前記終端モジュール５は、外部端子とチップ部品の接続関係を変えることができ、かつ内部端子間の接続関係を変えることができるように、端子が設けらえる部分と、チップ部品が搭載される部分と、内部端子間を接続するパターンが設けられる部分が分かれる構造としている。
【０００９】
図２は第１の実施例の終端モジュールの分解斜視図である。
６は端子取り付け部品で、正方形の外形を有しており、４個の角の部分に外部端子１ａ，１ｂ，１ｃ，１ｄが設けられている。
また、端子取り付け部品６表面側の外部端子１ａ，１ｂ，１ｃ，１ｄより内側の部分には、正方形の凹部６ａが設けられている。
【００１０】
この凹部６ａには、４角から中心に向かって延びるコネクタ部７ａ，７ｂ，７ｃ，７ｄが設けられ、このコネクタ部７ａ，７ｂ，７ｃ，７ｄ端部は凹部６ａの底板に固定された内部端子２ａ，２ｂ，２ｃ，２ｄが接続されている。なお、この内部端子２ａ，２ｂ，２ｃ，２ｄはピンにスリットの入ったバネ構造になっている。
【００１１】
そして、前記コネクタ部７ａ，７ｂ，７ｃ，７ｄはオス型コネクタ構造で、その両端が導体８ａ，８ｂ，８ｃ，８ｄおよび導体９ａ，９ｂ，９ｃ，９ｄ、中央部が絶縁体となっており、導体８ａ，８ｂ，８ｃ，８ｄと外部端子１ａ，１ｂ，１ｃ，１ｄとが電気的に接続し、導体９ａ，９ｂ，９ｃ，９ｄと内部端子２ａ，２ｂ，２ｃ，２ｄとが電気的に接続している。
【００１２】
１１はチップ取り付け部品で、前記端子取り付け部品６の凹部６ａに入り込む正方形の外形を有しているとともに、中心部には正方形の角穴１１ａが設けられている。
このチップ取り付け部品１１の対角線上はチップ部品搭載領域１２となり、それぞれのチップ部品搭載領域１２には、３個のパッド１３，１４，１５が絶縁体を挟んで並べて設けられており、それぞれ２個のチップ部品が搭載できるようになっている。
【００１３】
また、チップ部品搭載領域１２の裏側は、メス型コネクタ構造のコネクタ部１６が設けられている。
１７はパターン部品で、前記チップ取り付け部品１１の角穴１１ａに入り込む正方形の外形を有している。
このパターン部品１７には、前記内部端子２ａ，２ｂ，２ｃ，２ｄが入り込むホール１８ａ，１８ｂ，１８ｃ，１８ｄが開けられ、このホール１８ａ，１８ｂ，１８ｃ，１８ｄの内面はメッキが施されている。
【００１４】
そして、内部接続回路パターン４は所望のホール間を電気的に接続することで所望の内部端子間を電気的に接続するもので、ここでは、隣合うホール間を接続するものと、対角線上のホール間を接続するものの２種類がある。なお、内部接続回路パターン４は、パターン部品１７の裏側には設けていない。
上記構成によると、外部端子１ａ，１ｂ，１ｃ，１ｄは、必要に応じて外部回路の信号系または電源系に接続されている。この外部端子１ａ，１ｂ，１ｃ，１ｄを備えた端子取り付け部品６の凹部６ａにチップ取り付け部品１１をはめ込むと、コネクタ部７ａ，７ｂ，７ｃ，７ｄとコネクタ部１６が嵌まり、外部端子１ａ，１ｂ，１ｃ，１ｄとパッド１３が電気的に接続され、パッド１５と内部端子２ａ，２ｂ，２ｃ，２ｄが電気的に接続される。ここで、端子取り付け部品６に対するチップ取り付け部品１１の取り付けは、オス型のコネクタ部とメス型のコネクタ部が嵌まることで行われるので、着脱自在でかつ不用意に外れることはなく、また、電気的にも確実に接続される。
【００１５】
そして、パッド１３とパッド１４の間、パッド１４とパッド１５の間にはぞれぞれ必要に応じて所望のチップ部品３が搭載されているので、端子取り付け部品６にチップ取り付け部品１１を取り付けると、外部端子と内部端子の間に所望のチップ部品を配置することができる。
また、チップ取り付け部品１１は端子取り付け部品６に対して９０度ずつ回転させて取り付けることができるので、外部端子および内部端子とチップ部品の接続関係を変えることができる。
【００１６】
パターン部品１７をチップ取り付け部品１１に取り付ける場合は、パターン部品１７のホール１８ａ，１８ｂ，１８ｃ，１８ｄに内部端子２ａ，２ｂ，２ｃ，２ｄを挿入することで取り付ける。このとき、内部端子２ａ，２ｂ，２ｃ，２ｄはスリットの入っているバネ構造となっており、ホール１８ａ，１８ｂ，１８ｃ，１８ｄは内面がメッキされているので、着脱自在でかつ不用意に外れることはないように取り付けられ、また、電気的にも確実に接続される。
【００１７】
パターン部品１７は、形成される内部接続回路パターン４によって、隣合うホール間を接続するものと、対角線上のホール間を接続するものの２種類があり、これらを使いわけることで、内部端子間の接続関係を変えることができる。また、パターン部品１７はチップ取り付け部品１１に対して９０度ずつ回転させて取り付けることができるので、内部端子間の接続関係を変えることができる。
【００１８】
以上説明した第１の実施例によれば、チップ取り付け部品１１により、終端回路用のチップ部品３の取り付け，取り外しが可能であるために、信号伝送回路を搭載しているプリント配線板のパターンを損傷せずに、終端回路用電気定数の変更が可能になる。
また、チップ取り付け部品１１のチップ部品搭載領域１２は、１系統につきチップ部品を２個直列に搭載できるようになっているため、抵抗，コンデンサ，インダクタ，ダイオード等のチップ部品を直列に組み合わせた複雑な終端回路を構成できる。なお、チップ部品を２個直列に配置する必要がない場合は、チップ部品のうちの１個を０オーム抵抗にすることにより単純化することができる。
【００１９】
さらに、チップ取り付け部品１１は、端子取り付け部品６に対して９０度、１８０度、２７０度回転して取り付けることができるため、それぞれのチップ部品搭載領域１２に段階的に電気定数を変えた回路要素を搭載しておけば、１枚のチップ取り付け部品１１で、信号伝送回路の負荷条件やデバイスの特性に応じて終端回路定数を４段階の変更することが可能である。
【００２０】
また、２種類のパターン部品１７を選択して取り付けることにより、終端用回路要素の構成を直列，並列に自由自在に変化できる。
さらに、外部端子１ａ，１ｂ，１ｃ，１ｄのうちのどれかを異種電源系と接続しておくことにより、異種電源系に対する終端方法に変えることも可能である。
その他、端子取り付け部品６に対するチップ取り付け部品１１の取り付けは、オス型のコネクタ部とメス型のコネクタ部が嵌まることで行われるので、簡単で確実な電気的接続が得られ、端子取り付け部品６に対するパターン部品１７の取り付けは、内部端子２ａ，２ｂ，２ｃ，２ｄはスリットの入っているバネ構造となっており、ホール１８ａ，１８ｂ，１８ｃ，１８ｄは内面がメッキされているので、簡単で確実な電気的接続が得られる。
【００２１】
また、端子取り付け部品６の底板は絶縁体で構成されているために、端子取り付け部品６の実装領域にも配線パターンを引くことが可能であり、プリント配線板に立体的に終端部品が搭載できて、部品実装密度、配線密度の向上にも寄与できる。
なお、上述した第１の実施例においては、４端子の終端モジュールについて説明したが、チップ取り付け部品１１のチップ部品搭載領域１２において、チップ部品を複数個直列に搭載できるパターンにすれば、単純な終端回路構成にも、複雑な終端回路構成にも適用できる。また、パターン部品１７の内部接続回路パターン４の種類を増やすか、内部端子２ａ，２ｂ，２ｃ，２ｄの長さを長くして、２種類のパターン部品１７を組み合わせて複数段重ねて取り付けることによって、更にいろいろな終端回路を構成できる。
【００２２】
図３は本発明の第２の実施例における終端モジュールの外観斜視図である。
図において、１ａ，１ｂ，１ｃ，１ｄ，１ｅ，１ｆは外部端子、２ａ，２ｂ，２ｃ，２ｄ，２ｅ，２ｆは内部端子である。
前記外部端子１ａと内部端子２ａの間、外部端子１ｂと内部端子２ｂの間、外部端子１ｃと内部端子２ｃの間、外部端子１ｄと内部端子２ｄ、外部端子１ｅと内部端子２ｅの間および外部端子１ｆと内部端子２ｆの間には、終端回路を構成する抵抗、コンデンサ、インダクタ、ダイオード等のチップ部品３が２個直列に搭載できるようになっている。
【００２３】
さらに、所望の内部端子間を電気的に接続するために、内部接続回路パターン４が設けられ、図１では、１つ飛ばした端子間を電気的に接続している。
上記構成の終端モジュール５を上から見ると、正六角形であり、外部端子１ａ，１ｂ，１ｃ，１ｄ，１ｅ，１ｆは６個の角の部分に配置されていて、正六角形の中心を基準に６０度回転すると、隣の端子と重なる位置関係になっている。
【００２４】
また、内部端子２ａ，２ｂ，２ｃ，２ｄ，２ｅ，２ｆは、外部端子１ａ，１ｂ，１ｃ，１ｄ，１ｅ，１ｆの内側で正六角形の対角線上にあり、正六角形の中心を基準に６０度回転すると、隣の端子と重なる位置関係になっている。
ここで、前記終端モジュール５は、外部端子とチップ部品の接続関係を変えることができ、かつ内部端子間の接続関係を変えることができるように、端子が設けらえる部分と、チップ部品が搭載される部分と、内部端子間を接続するパターンが設けられる部分が分かれる構造としている。
【００２５】
図４は第２の実施例の終端モジュールの分解斜視図である。
６は端子取り付け部品で、正六角形の外形を有しており、６個の角の部分に外部端子１ａ，１ｂ，１ｃ，１ｄ，１ｅ，１ｆが設けられている。
また、端子取り付け部品６表面側の外部端子１ａ，１ｂ，１ｃ，１ｄ，１ｅ，１ｆより内側の部分には、正六角形の凹部６ａが設けられている。
【００２６】
この凹部６ａには、６角から中心に向かって延びるコネクタ部７ａ，７ｂ，７ｃ，７ｄ，７ｅ，７ｆが設けられ、このコネクタ部７ａ，７ｂ，７ｃ，７ｄ，７ｅ，７ｆ端部は凹部６ａの底板に固定された内部端子２ａ，２ｂ，２ｃ，２ｄ，２ｅ，２ｆが接続されている。なお、この内部端子２ａ，２ｂ，２ｃ，２ｄ，２ｅ，２ｆはピンにスリットの入ったバネ構造になっている。
【００２７】
そして、前記コネクタ部７ａ，７ｂ，７ｃ，７ｄ，７ｅ，７ｆはオス型コネクタ構造で、その両端が導体、中央部が絶縁体となっており、外側の導体と外部端子１ａ，１ｂ，１ｃ，１ｄ，１ｅ，１ｆとが電気的に接続し、内側の導体と内部端子２ａ，２ｂ，２ｃ，２ｄ，２ｅ，２ｆとが電気的に接続している。
１１はチップ取り付け部品で、前記端子取り付け部品６の凹部６ａに入り込む正六角形の外形を有しているとともに、中心部には正六角形の角穴１１ａが設けられている。
【００２８】
このチップ取り付け部品１１の対角線上はチップ部品搭載領域１２となり、それぞれのチップ部品搭載領域１２には、３個のパッド１３，１４，１５が絶縁体を挟んで並べて設けられており、それぞれ２個のチップ部品が搭載できるようになっている。
また、チップ部品搭載領域１２の裏側は、メス型コネクタ構造のコネクタ部１６が設けられている。
【００２９】
１７はパターン部品で、前記チップ取り付け部品１１の角穴１１ａに入り込む正六角形の外形を有している。
このパターン部品１７には、前記内部端子２ａ，２ｂ，２ｃ，２ｄ，２ｅ，２ｆが入り込むホール１８ａ，１８ｂ，１８ｃ，１８ｄ，１８ｅ，１８ｆが開けられ、このホール１８ａ，１８ｂ，１８ｃ，１８ｄ，１８ｅ，１８ｆの内面はメッキが施されている。
【００３０】
そして、内部接続回路パターン４は所望のホール間を電気的に接続することで所望の内部端子間を電気的に接続するもので、ここでは、隣合うホール間を接続するものと、１つ飛ばしたホール間を接続するものと、対角線上のホール間を接続するものの３種類がある。なお、内部接続回路パターン４は、パターン部品１７の裏側には設けていない。
【００３１】
上記構成によると、外部端子１ａ，１ｂ，１ｃ，１ｄ，１ｅ，１ｆは、必要に応じて外部回路の信号系または電源系に接続されている。この外部端子１ａ，１ｂ，１ｃ，１ｄ，１ｅ，１ｆを備えた端子取り付け部品６の凹部６ａにチップ取り付け部品１１をはめ込むと、コネクタ部７ａ，７ｂ，７ｃ，７ｄ，７ｅ，７ｆとコネクタ部１６が嵌まり、外部端子１ａ，１ｂ，１ｃ，１ｄ，１ｅ，１ｆとパッド１３が電気的に接続され、パッド１５と内部端子２ａ，２ｂ，２ｃ，２ｄ，２ｅ，２ｆが電気的に接続される。ここで、端子取り付け部品６に対するチップ取り付け部品１１の取り付けは、オス型のコネクタ部とメス型のコネクタ部が嵌まることで行われるので、着脱自在でかつ不用意に外れることはなく、また、電気的にも確実に接続される。
【００３２】
そして、パッド１３とパッド１４の間、パッド１４とパッド１５の間にはぞれぞれ必要に応じて所望のチップ部品３が搭載されているので、端子取り付け部品６にチップ取り付け部品１１を取り付けると、外部端子と内部端子の間に所望のチップ部品を配置することができる。
また、チップ取り付け部品１１は端子取り付け部品６に対して９０度ずつ回転させて取り付けることができるので、外部端子および内部端子とチップ部品の接続関係を変えることができる。
【００３３】
パターン部品１７をチップ取り付け部品１１に取り付ける場合は、パターン部品１７のホール１８ａ，１８ｂ，１８ｃ，１８ｄ，１８ｅ，１８ｆに内部端子２ａ，２ｂ，２ｃ，２ｄ，２ｅ，２ｆを挿入することで取り付ける。このとき、内部端子２ａ，２ｂ，２ｃ，２ｄ，２ｅ，２ｆはスリットの入っているバネ構造となっており、ホール１８ａ，１８ｂ，１８ｃ，１８ｄ，１８ｅ，１８ｆは内面がメッキされているので、着脱自在でかつ不用意に外れることはないように取り付けられ、また、電気的にも確実に接続される。
【００３４】
パターン部品１７は、形成される内部接続回路パターン４によって、隣合うホール間を接続するものと、１つ飛ばしたホール間を接続するものと、対角線上のホール間を接続するものの３種類があり、これらを使いわけることで、内部端子間の接続関係を変えることができる。また、パターン部品１７はチップ取り付け部品１１に対して６０度ずつ回転させて取り付けることができるので、内部端子間の接続関係を変えることができる。
【００３５】
以上説明した第２の実施例によれば、チップ取り付け部品１１により、終端回路用のチップ部品３の取り付け，取り外しが可能であるために、信号伝送回路を搭載しているプリント配線板のパターンを損傷せずに、終端回路用電気定数の変更が可能になる。
また、チップ取り付け部品１１のチップ部品搭載領域１２は、１系統につきチップ部品を２個直列に搭載できるようになっているため、抵抗，コンデンサ，インダクタ，ダイオード等のチップ部品を直列に組み合わせた複雑な終端回路を構成できる。なお、チップ部品を２個直列に配置する必要がない場合は、チップ部品のうちの１個を０オーム抵抗にすることにより単純化することができる。
【００３６】
さらに、チップ取り付け部品１１は、端子取り付け部品６に対して６０度、１２０度、１８０度、２４０度、３００度回転して取り付けることができるため、それぞれのチップ部品搭載領域１２に段階的に電気定数を変えた回路要素を搭載しておけば、１枚のチップ取り付け部品１１で、信号伝送回路の負荷条件やデバイスの特性に応じて終端回路定数を４段階の変更することが可能である。
【００３７】
また、３種類のパターン部品１７を選択して取り付けることにより、終端用回路要素の構成を直列，並列に自由自在に変化できる。
さらに、外部端子１ａ，１ｂ，１ｃ，１ｄ，１ｅ，１ｆのうちのどれかを異種電源系と接続しておくことにより、異種電源系に対する終端方法に変えることも可能である。
【００３８】
その他、端子取り付け部品６に対するチップ取り付け部品１１の取り付けは、オス型のコネクタ部とメス型のコネクタ部が嵌まることで行われるので、簡単で確実な電気的接続が得られ、端子取り付け部品６に対するパターン部品１７の取り付けは、内部端子２ａ，２ｂ，２ｃ，２ｄ，２ｅ，２ｆはスリットの入っているバネ構造となっており、ホール１８ａ，１８ｂ，１８ｃ，１８ｄ，１８ｅ，１８ｆは内面がメッキされているので、簡単で確実な電気的接続が得られる。
【００３９】
また、端子取り付け部品６の底板は絶縁体で構成されているために、端子取り付け部品６の実装領域にも配線パターンを引くことが可能であり、プリント配線板に立体的に終端部品が搭載できて、部品実装密度、配線密度の向上にも寄与できる。
なお、上述した第２の実施例においては、６端子の終端モジュールについて説明したが、更に端子数を増やし、端子数に応じて終端モジュールを上から見た場合に正ｎ角形（ｎは自然数）のものを作れば、固定される端子取り付け部品６に対してチップ取り付け部品１１を３６０／ｎ度回転して取り付けることができるため、ｎ個のチップ部品搭載領域１２に段階的に電気定数を変えた回路要素を搭載しておけば、信号伝送回路の負荷条件やデバイスの特性に対応して、段階的に終端回路定数を変更することが可能である。また、バスになっている信号伝送回路の集中的終端モジュールとしても適用できる。
【００４０】
また、チップ取り付け部品１１のチップ部品搭載領域１２において、チップ部品を複数個直列に搭載できるパターンにすれば、単純な終端回路構成にも、複雑な終端回路構成にも適用できる。さらに、パターン部品１７の内部接続回路パターン４の種類を増やすか、内部端子２ａ，２ｂ，２ｃ，２ｄ，２ｅ，２ｆの長さを長くして、２種類のパターン部品１７を組み合わせて複数段重ねて取り付けることによって、更にいろいろな終端回路を構成できる。
【００４１】
終端モジュールは、信号伝送回路に対して直列に接続されるか、並列に接続されるか、または最遠端に接続されるのが通常だが、これらを組み合わせることにより、更に様々な終端回路の構成が可能になる。
【００４２】
【発明の効果】
以上説明したように、本発明は、信号伝送回路とインタフェースする複数本の外部端子およびこの外部端子と対応する複数本の内部端子を有する端子取り付け部品に対して、外部端子と内部端子の間に複数の終端回路要素を直列に接続する終端回路要素取り付け部品を着脱可能に取り付け、また、所望の内部端子間を接続するパターンを有するパターン部品を内部素子に対して着脱可能に取り付けたので、プリント配線板のパターンを損傷せずに外部端子に接続される複数の終端回路要素の組み合わせを変えることができ、複雑な終端回路を構成できるとともに、終端回路用電気定数を容易に変えることができる。
【図面の簡単な説明】
【図１】本発明の第１の実施例における終端モジュールの外観斜視図である。
【図２】第１の実施例の終端モジュールの分解斜視図である。
【図３】本発明の第２の実施例における終端モジュールの外観斜視図である。
【図４】第２の実施例の終端モジュールの分解斜視図である。
【符号の説明】
１ａ，１ｂ，１ｃ，１ｄ  外部端子
２ａ，２ｂ，２ｃ，２ｄ  内部端子
３  チップ部品
４  内部接続回路パターン
６  端子取り付け部品
１１  チップ取り付け部品
１７  パターン部品
【図１】
0003591909.tif 000002
【図２】
0003591909.tif 000003
【図３】
0003591909.tif 000004
【図４】
0003591909.tif 000005